(57)【要約】【課題】操作者が意図する位置で、容易に１つの文字列領域を２つの文字列領域に分割する。【解決手段】操作端末１０は、タッチパネル部１３及び操作検出部１７を備え、印字ラベルに印字形成する文字列Ｒの編集操作を受け付けると、文字列Ｒを包含する１つの文字列領域Ｂがテープ長さ方向に配置されたラベルイメージをタッチパネル部１３に表示し、操作検出部１７の検出結果に基づき、文字列領域Ｂをテープ長手方向に２個に分割するための分割指示操作がなされた判定された場合に、ラベルイメージに含まれる分断部位をそれ以外の部分と識別するための破線枠４３を含む当該分断部位近傍の拡大イメージ４２を、ラベルイメージの表示とは別に、タッチパネル部１３にプレビュー表示する。【選択図】図８
2014186455.tif 000002
【特許請求の範囲】
【請求項１】
被印字テープに対し文字列を印字形成して印刷物を作成するテープ印字装置に接続可能に構成され、所望の表示を行うとともに所望の操作入力を実行可能な可能なタッチパネル部と、前記タッチパネル部への接触による前記操作入力を検出する検出手段と、を有する操作端末に備えられた演算手段に対し、
前記印刷物に印字形成する前記文字列の編集操作を受け付ける編集受付手順と、
前記編集受付手順で受け付けた前記編集操作に基づき、前記文字列を包含する１つの文字列領域がテープ長さ方向に配置された印刷物イメージを生成し、前記タッチパネル部に表示する第１イメージ表示手順と、
前記検出手段の検出結果に基づき、前記印刷物イメージの前記１つの文字列領域をテープ長手方向に２個に分割するための分断部位を少なくとも含む所定領域において、テープ幅方向に沿った一方側への分割指示操作がなされたか否かを判定する指示判定手順と、
前記指示判定手順で前記分割指示操作がなされたと判定された場合に、前記検出手段の検出結果に基づき、前記印刷物イメージに含まれる前記分断部位をそれ以外の部分と識別するための識別表示を含む当該分断部位近傍の拡大イメージを生成して、前記印刷物イメージの表示とは別に、前記タッチパネル部にプレビュー表示する第２イメージ表示手順と、
を実行させるための操作入力処理プログラム。
【請求項２】
請求項１記載の操作入力処理プログラムにおいて、
前記第２イメージ表示手順は、
前記検出手段の検出結果に基づき、前記印刷物イメージ中において前記分断部位を表す分断部位イメージを生成し、前記タッチパネル部に表示する
ことを特徴とする操作入力処理プログラム。
【請求項３】
請求項２記載の操作入力処理プログラムにおいて、
前記演算手段に対し、さらに、
前記検出手段の検出結果に基づき、所定の分割確定操作がなされたか否かを判定する確定判定手順と、
前記確定判定手順で前記分割確定操作がなされたと判定された場合に、前記タッチパネル部における前記拡大イメージの前記プレビュー表示を中止するとともに、前記印刷物イメージに含まれる前記１つの文字列領域をテープ長手方向に２つに分割して生成された第１文字列領域及び第２文字列領域を含む新たな印刷物イメージを生成して、前記タッチパネル部に表示する第３イメージ表示手順と、
を実行させることを特徴とする操作入力処理プログラム。
【請求項４】
請求項２又は請求項３記載の操作入力処理プログラムにおいて、
前記確定判定手順は、
前記分割指示操作がなされた後、前記タッチパネル部への接触がなくなった場合に、前記所定の分割確定操作があったと判定する
ことを特徴とする操作入力処理プログラム。
【請求項５】
請求項２乃至請求項４のいずれか１項記載の操作入力処理プログラムにおいて、
前記演算手段に対し、さらに、
前記指示判定手順で前記分割指示操作がなされたと判定された場合に、前記検出手段の検出結果に基づき、前記所定領域に含まれる前記分断部位を特定する、分断部位特定手順を実行させ、
前記分断部位特定手順は、
（ｉ）前記所定領域内の文字列中にスペースが含まれる場合には、前記スペース又は前記スペースの直後を前記分断部位として特定し、
（ｉｉ）前記所定領域内の文字列中に区切り記号が含まれる場合には、前記区切り記号の直後を前記分断部位として特定し、
（ｉｉｉ）前記所定領域内の文字列中において小文字の後に大文字が配置されている場合には、前記小文字の直後を前記分断部位として特定し、
（ｉｖ）上記（ｉ）〜（ｉｉｉ）以外の場合には、前記所定領域内の文字列のうち、当該所定領域のテープ長さ方向中央に最も近い、隣接２文字どうしの間隙を、前記分断部位として特定する
ことを特徴とする操作入力処理プログラム。
【請求項６】
請求項２乃至請求項５のいずれか１項記載の操作入力処理プログラムにおいて、
前記演算手段に対し、さらに、
前記検出手段の検出結果に基づき、前記タッチパネル部に前記拡大イメージの前記プレビュー表示がなされた状態で、前記印刷物イメージの前記分断部位イメージをテープ長さ方向に移動する分割位置移動操作がなされたか否かを判定する移動判定手順と、
前記移動判定手順で前記分割位置移動操作がなされたと判定された場合に、前記検出手段の検出結果に基づき、前記第２イメージ表示手順で生成された前記分断部位イメージを前記移動操作に対応した態様で移動した、別の印刷物イメージを生成して前記タッチパネル部に表示する第４イメージ表示手順と、
を実行させることを特徴とする操作入力処理プログラム。
【請求項７】
請求項２乃至請求項６のいずれか１項記載の操作入力処理プログラムにおいて、
前記演算手段に対し、さらに、
前記検出手段の検出結果に基づき、前記印刷物イメージの前記分断部位イメージが表示された状態で、前記分断部位におけるテープ幅方向に沿った他方側への分割取り消し操作がなされたか否かを判定する取り消し判定手順と、
前記取り消し判定手順で前記分割取り消し操作がなされたと判定された場合に、前記分断部位イメージの表示を中止するとともに、前記拡大イメージの前記プレビュー表示を中止する、表示中止手順と、
を実行させることを特徴とする操作入力処理プログラム。
【請求項８】
被印字テープに対し文字列を印字形成して印刷物を作成するテープ印字装置に接続可能に構成され、所望の表示を行うとともに所望の操作入力を実行可能な可能なタッチパネル部と、前記タッチパネル部への接触による前記操作入力を検出する検出手段と、を有する操作端末が実行する、操作入力処理方法であって、
前記印刷物に印字形成する前記文字列の編集操作を受け付ける編集受付手順と、
前記編集受付手順で受け付けた前記編集操作に基づき、前記文字列を包含する１つの文字列領域がテープ長さ方向に配置された印刷物イメージを生成し、前記タッチパネル部に表示する第１イメージ表示手順と、
前記検出手段の検出結果に基づき、前記印刷物イメージの前記１つの文字列領域をテープ長手方向に２個に分割する分断部位における、テープ幅方向に沿った一方側への分割指示操作がなされたか否かを判定する指示判定手順と、
前記指示判定手順で前記分割指示操作がなされたと判定された場合に、前記検出手段の検出結果に基づき、前記印刷物イメージに含まれる前記分断部位をそれ以外の部分と識別するための識別表示を含む当該分断部位近傍の拡大イメージを生成して、前記印刷物イメージの表示とは別に、前記タッチパネル部にプレビュー表示する第２イメージ表示手順と、
を有することを特徴とする操作入力処理方法。
【発明の詳細な説明】
【技術分野】
【０００１】
本発明は、テープ印字装置を操作するための操作入力処理プログラム及び操作入力処理方法に関する。
【背景技術】
【０００２】
従来、被印字テープの幅方向に文字列を印字可能であり、且つ、任意の行数の文字列を１つのブロックとして、複数のブロックを印字媒体の長手方向に印字することが可能な印字装置が知られている（例えば、特許文献１参照）。このテープ印刷装置では、改行データが入力された位置で文字列を改行するとともに、改ブロックデータが入力された位置をブロックの区切り位置としている。
【先行技術文献】
【特許文献】
【０００３】
【特許文献１】特開平５−１７７９０５号公報
【発明の概要】
【発明が解決しようとする課題】
【０００４】
しかしながら、上記従来技術のテープ印刷装置において文字列を任意の位置で２つに分割しようとする場合、単に改ブロックデータを入力するだけでは、操作者が意図したように文字列領域を２つに分割することができない場合があった。
【０００５】
本発明の目的は、操作者が意図する位置で、容易に１つの文字列領域を２つの文字列領域に分割することができる、操作入力処理プログラム及び操作入力処理方法を提供することである。
【課題を解決するための手段】
【０００６】
上記目的を達成するために、本願発明は、被印字テープに対し文字列を印字形成して印刷物を作成するテープ印字装置に接続可能に構成され、所望の表示を行うとともに所望の操作入力を実行可能な可能なタッチパネル部と、前記タッチパネル部への接触による前記操作入力を検出する検出手段と、を有する操作端末に備えられた演算手段に対し、前記印刷物に印字形成する前記文字列の編集操作を受け付ける編集受付手順と、前記編集受付手順で受け付けた前記編集操作に基づき、前記文字列を包含する１つの文字列領域がテープ長さ方向に配置された印刷物イメージを生成し、前記タッチパネル部に表示する第１イメージ表示手順と、前記検出手段の検出結果に基づき、前記印刷物イメージの前記１つの文字列領域をテープ長手方向に２個に分割するための分断部位を少なくとも含む所定領域において、テープ幅方向に沿った一方側への分割指示操作がなされたか否かを判定する指示判定手順と、前記指示判定手順で前記分割指示操作がなされたと判定された場合に、前記検出手段の検出結果に基づき、前記印刷物イメージに含まれる前記分断部位をそれ以外の部分と識別するための識別表示を含む当該分断部位近傍の拡大イメージを生成して、前記印刷物イメージの表示とは別に、前記タッチパネル部にプレビュー表示する第２イメージ表示手順と、を実行させる。
【０００７】
本願発明の操作対象となるテープ印字装置は、被印字テープに対し文字列を印字形成することで印刷物を作成する。すなわち、本願発明の操作入力処理プログラムが操作端末の演算手段において実行され、操作者が上記印字形成する文字列の編集操作を行うと、その編集操作が編集受付手順で受け付けられる。この編集操作に基づき、第１イメージ表示手順で印刷物イメージが生成される。印刷物イメージには、上記印字形成される文字列を包含する１つの文字列領域がテープ長さ方向に配置されている。生成された印刷物イメージは、この第１イメージ表示手順で、タッチパネル部において表示される。本願発明では、この１つの文字列領域を操作者の操作により２つの文字列領域に分割することができる。
【０００８】
すなわち、本願発明の操作対象である操作端末には、検出手段が設けられている。検出手段は、操作者によるタッチパネル部への接触による操作入力を検出する。上述のようにして表示された１つの文字列領域を操作者が分割する場合には、まず操作者は、タッチパネル部に表示された上記１つの文字列領域のうち、当該文字列領域をテープ長手方向に２個に分割するための分断部位を指先や適宜の操作具により接触した状態で、当該指先や操作具をテープ幅方向に沿って一方側へと動かす。これにより、指示判定手順で、上記文字列領域の分割を行う分割指示操作がなされたと判定される。
【０００９】
すると、第２イメージ表示手順で、上記印刷物イメージ（第１イメージ生成手順で生成されタッチパネル部に表示された印刷イメージ）とは別に、上記分断部位近傍のイメージが生成され、タッチパネル部にプレビュー表示される。この結果、実際に文字列領域の分割処理が確定するより前に、所望の分断部位で分割した場合の印刷物イメージが表示され、操作者が視覚的に当該印刷物イメージを認識することができる。
【００１０】
その際、本願発明では、上記印刷物イメージとは別に表示される上記分断部位近傍のイメージが、もとの上記印刷物イメージから拡大して生成されるとともに、上記分断部位をそれ以外の部分と識別するための識別表示が併せて表示される。これにより、例えば文字列領域に比較的多数の文字が含まれていたりタッチパネルの大きさが比較的小さかったりして、そのままでは操作者の意図する位置での文字列領域の分割が困難となるおそれがある場合であっても、操作者の意図する位置で容易かつ確実に２つの文字列領域への分割を行うことができる。この結果、操作者の利便性を向上することができる。
【発明の効果】
【００１１】
本発明によれば、操作者が意図する位置で、容易に１つの文字列領域を２つの文字列領域に分割することができる。
【図面の簡単な説明】
【００１２】
【図１】本発明の第１実施形態におけるラベル作成用処理プログラムを実行する操作端末を示す正面図である。
【図２】操作端末によって操作されるラベル作成装置を示す正面図である。
【図３】操作端末の詳細機能を示す機能ブロック図である。
【図４】ラベル作成装置の詳細機能を示す機能ブロック図である。
【図５】印字ラベル作成時にラベル作成装置の制御回路によって実行される制御手順の一例を示すフローチャートである。
【図６】タッチパネル部に表示されるラベルイメージの一例を表す説明図である。
【図７】ラベルイメージを生成するための比較例による編集方法を表す説明図である。
【図８】第１実施形態におけるタッチパネル部での文字列領域の分割操作を示す説明図である。
【図９】第１実施形態におけるタッチパネル部での文字列領域の分割操作を示す説明図である。
【図１０】文字列領域の分割時の分断部位の特定手法を示す説明図である。
【図１１】タッチパネル部での文字列領域の分割位置の変更操作を示す説明図である。
【図１２】タッチパネル部での文字列領域の分割中止操作を示す説明図である。
【図１３】制御回路のＣＰＵが実行する制御手順を示すフローチャートである。
【図１４】本発明の第２実施形態におけるタッチパネル部での文字列領域の分割操作を示す説明図である。
【図１５】第２実施形態におけるタッチパネル部での文字列領域の分割操作を示す説明図である。
【図１６】タッチパネル部での文字列領域の分割位置の変更操作を示す説明図である。
【図１７】タッチパネル部での文字列領域の分割中止操作を示す説明図である。
【図１８】制御回路のＣＰＵが実行する制御手順を示すフローチャートである。
【発明を実施するための形態】
【００１３】
以下、本発明の実施形態を図面を参照しつつ説明する。
【００１４】
＜第１実施形態＞
本発明の第１実施形態を図１〜図１３により説明する。この第１実施形態では、操作端末において、操作入力処理プログラムとしてラベル作成用処理プログラムを実行する場合を例にとって説明する。
【００１５】
＜操作端末及びラベル作成装置の概略構成＞
図１に示すように、操作端末１０は、被操作装置であるラベル作成装置２０（テープ印字装置に相当；後述の図２参照）を操作するために用いられる。操作端末１０は、操作者が操作可能な操作ボタン１２と、例えば液晶ディスプレイ等を備えたタッチパネル部１３と、を有する。
【００１６】
図２に示すように、上記操作端末１０によって操作されるラベル作成装置２０は、例えば液晶ディスプレイからなり各種情報や各種メッセージを表示する表示部２２と、操作者が各種操作を可能な操作部２３と、装置本体２１内に配設されたカッタ２７（後述の図４参照）を駆動するためのカットレバー２４とを備えている。
【００１７】
操作部２３には、文字、記号、及び数字等を入力するための入力キー等を含む種々の機能キー２３ａが含まれている。
【００１８】
＜操作端末の機能的構成＞
上記操作端末１０の機能的構成を図３に示す。操作端末１０は、制御回路１４と、各種情報を記憶するメモリ１５と、通信制御部１６と、操作検出部１７（検出手段に相当）と、上記操作ボタン１２と、上記タッチパネル部１３とを有する。
【００１９】
通信制御部１６は、無線通信（又は有線通信）を介して接続された上記ラベル作成装置２０との間で行われる、情報通信の制御を行う。
【００２０】
制御回路１４は、図示しないＣＰＵ（演算手段に相当）、及びＲＯＭを備えている。この制御回路１４のＣＰＵは、ＲＡＭの一時記憶機能を利用しつつ、ＲＯＭに予め記憶された各種プログラムを実行する。この各種プログラムには、後述する図１３、図１８に示す手順を実行するためのラベル作成用処理プログラム（操作入力処理プログラムに相当）が含まれている。また、制御回路１４は、通信制御部１６を介し、無線通信（又は有線通信）によりラベル作成装置２０と接続されており、ラベル作成装置２０と各種情報やデータの送受が可能となっている。
【００２１】
メモリ１５は、記憶内容の追加及び消去が可能な、例えばＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等の不揮発性メモリから構成されている。このメモリ１５には、上記ラベル作成用処理プログラムを含む上記各種プログラムが記憶されている。
【００２２】
タッチパネル部１３は、所定の操作機能及び所定の表示機能を備えている。すなわち、タッチパネル部１３は、操作者の操作ボタン１２を介した操作入力に基づく、印字ラベルに印字される文字列を表示する。なお、このタッチパネル部１３では、操作者の指の接触操作により、表示された上記文字列を所望の態様で分割することできる（詳細は後述）。
【００２３】
＜ラベル作成装置の機能的構成＞
上記ラベル作成装置２０の機能的構成を図４に示す。図４において、ラベル作成装置２０は、制御回路２５と、各種情報を記憶するメモリ２６と、通信制御部２８と、上記表示部２２と、上記操作部２３と、上記カットレバー２４と、カートリッジホルダ３２と、搬送装置２９と、印字ヘッド３０と、カッタ２７とを有する。
【００２４】
通信制御部２８は、上記のように無線又は有線を介して接続された操作端末１０との間で行われる、情報通信の制御を行う。
【００２５】
制御回路２５は、図示しないＣＰＵ、ＲＡＭ、及びＲＯＭを備えている。この制御回路２５は、ＲＡＭの一時記憶機能を利用しつつ、ＲＯＭに予め記憶された各種プログラムを実行する。これにより、制御回路２５は、ラベル作成装置２０全体の制御を行う。また、制御回路２５は、通信制御部２８を介して操作端末１０と接続されており、操作端末１０とデータの送受が可能となっている。
【００２６】
メモリ２６は、記憶内容の追加及び消去が可能な、例えばＥｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ（ＥＥＰＲＯＭ）等の不揮発性メモリから構成されている。このメモリ２６には、操作端末１０から送信された印字データを格納可能となっている。
【００２７】
カートリッジホルダ３２は、被印字テープ３３を供給可能なカートリッジ３１を着脱可能に構成されている。カートリッジ３１は、被印字テープ３３を図示しないリール部材の周りに巻回したテープロール３４（本来は渦巻き状であるが簡略化して同心円で図示している）を備えている。
【００２８】
搬送装置２９は、印字ヘッド３０に対向して設けられている。この搬送装置２９は、制御回路２５により制御されて、カートリッジホルダ３２に装着したカートリッジ３１のテープロール３４から繰り出されて供給される、被印字テープ３３を搬送する。
【００２９】
印字ヘッド３０は、制御回路２５の制御に基づき、テープロール３４から繰り出され搬送装置２９により搬送される被印字テープ３３に対し、所望の印字を形成する。
【００３０】
カッタ２７は、操作者によりカットレバー２４が操作されることで、印字ヘッド３０による印字が終了した被印字テープ３３を切断し、図示しない印字ラベル（印刷物に相当）とする。
【００３１】
＜印字ラベルの作成手順＞
図５に、印字ラベル作成時にラベル作成装置２０の制御回路によって実行される制御手順の一例を示す。このフローに示す処理は、操作者が操作端末１０によって印字ラベルのイメージを編集（詳細は後述）した後、操作ボタン１２やタッチパネル部１３を適宜に操作する等によってラベル作成装置２０に対しラベル作成指示を出力することにより、開始される。
【００３２】
図５において、まずステップＳ１１０で、制御回路２５は、搬送装置２９に制御信号を出力し、カートリッジホルダ３２に装着されたカートリッジ３１のテープロール３４からの被印字テープ３３の繰り出し、すなわち被印字テープ３３の搬送を開始させる。
【００３３】
そして、ステップＳ１２０に移り、制御回路２５は、被印字テープ３３が所定量だけ搬送されたかどうかを判定する。なお、この所定量とは、例えば、被印字テープ３３の図示しない印字領域の先端が、印字ヘッド３０とほぼ対向する位置に到達するだけの搬送距離（いわゆる前余白用の搬送量）である。所定量搬送されるまでステップＳ１２０の判定が満たされず（Ｓ１２０：ＮＯ）、ループ待機し、所定量搬送されたらステップＳ２０の判定が満たされて（Ｓ１２０：ＹＥＳ）、ステップＳ１３０に移る。
【００３４】
ステップＳ１３０では、制御回路２５は、印字ヘッド３０に制御信号を出力し、搬送装置２９により搬送される被印字テープ３３の印字領域に対し、メモリ２６に格納された印字データ（すなわち、上述した印字ラベルのイメージ編集操作後、対応する印字データが操作端末１１から送信されメモリ２６に格納されている）の印字を開始させる。
【００３５】
その後、ステップＳ１４０で、制御回路２５は、上記ステップＳ１３０で開始した印字ヘッド３０による被印字テープ３３の印字領域への印字データの印字がすべて完了しているかどうかを判定する。印字がすべて完了するまでステップＳ１４０の判定が満たされず（Ｓ１４０：ＮＯ）、ループ待機し、印字がすべて完了したらステップＳ１４０の判定が満たされて（Ｓ１４０：ＹＥＳ）、ステップＳ１５０に移る。
【００３６】
ステップＳ１５０では、制御回路２５は、被印字テープ３３がさらに所定量（例えば印字領域のすべてがカッタ２７を所定の長さ分越えるだけの搬送距離。いわゆる後余白用の搬送量）だけ搬送されたかどうかを判定する。所定量搬送されるまでステップＳ１５０の判定が満たされず（Ｓ１５０：ＮＯ）、ループ待機し、所定量搬送されたらステップＳ１５０の判定が満たされて（Ｓ１５０：ＹＥＳ）、ステップＳ１６０に移る。
【００３７】
ステップＳ１６０では、制御回路２５は、搬送装置２９に制御信号を出力し、ステップＳ１１０で開始させたテープロール３４からの被印字テープ３３の繰り出し、すなわち被印字テープ３３の搬送を停止させる。
【００３８】
そして、ステップＳ１７０では、制御回路２５は、表示部２２に表示信号を出力し、カットレバー２４を操作することにより被印字テープ３３を切断可能な状態である旨の表示を行わせる。その後、このフローに示す処理を終了する。上記表示に応じて操作者がカットレバー２４を操作すると、カッタ２７が作動して被印字テープ３３が切断される。このカッタ２７による切断によって、被印字テープ３３から印字ヘッド３０による印字が行われた部分が切り離されて、上記印字ラベルが作成される。
【００３９】
＜ラベルイメージの編集＞
上記のようにしてラベル作成装置２０において印字ラベルが作成される際、本実施形態では、当該印字ラベルのラベルイメージをタッチパネル部１３に表示させた状態で、操作者がタッチパネル部１３上で適宜の操作を行うことにより、印字内容等の編集を行うことができる。
【００４０】
図６に、タッチパネル部１３に表示されるラベルイメージ（編集後の姿）の一例を示す。図６に示す例では、タッチパネル部１３に表示された適宜の編集画面Ｐに、ラベルイメージＭｏが表示されている。
【００４１】
このラベルイメージＭｏには、略長方形のラベル外形線Ｑと、ラベル幅方向（図６中の上下方向）の略中央部に配置された適宜のシンボルＳ１と、このシンボルＳ１からラベル長さ方向（図６中の左右方向）に沿って左右に延びる直線Ｓ２と、からなる画像Ｓが備えられている。この例では、この画像Ｓは例えば適宜のテンプレートを用いて表示され、操作者による修正や加工は不可能に表示されている。
【００４２】
また、ラベルイメージＭｏには、画像Ｓの略左上部に「Ｔｈａｎｋ  ｙｏｕ」の文字列Ｒａ１を備えた第１ブロックＡ１が含まれ、画像Ｓの略右上部に「ｆｏｒ  ｙｏｕｒ  ｐｕｒｃｈａｓｅ」の文字列Ｒａ２を備えた第２ブロックＡ２が含まれ、画像Ｓの略左下部に「ＵＳＥＤ  ＢＹ」の文字列Ｒａ３を備えた第３ブロックＡ３が含まれ、画像Ｓの略右下部に「１２／２７／２００８」の文字列Ｒａ４を備えた第４ブロックＡ４が含まれている。
【００４３】
＜比較例による編集手法＞
上記図６のラベルイメージＭｏを生成するための、従来手法に相当する比較例による編集方法を図７により説明する。
【００４４】
まず、操作者は、操作端末１０の操作ボタン１２やタッチパネル部１３への適宜の操作入力（以下、単に「適宜の操作入力」という）により、タッチパネル部１３の上記編集画面Ｐに上記ラベル外形線Ｑと上記画像Ｓを表示させると共に、画像Ｓの周囲に第１〜第４ブロックＡ１〜Ａ４を作成して配置する（ステップＳＣ１０）。
【００４５】
次に、上記同様の適宜の操作により、操作者は、文字列の入力対象として第１ブロックＡ１を指定し（ステップＳＣ２０）、その後、当該第１ブロックＡ１内に文字列Ｒａ１の上記テキスト「Ｔｈａｎｋ  ｙｏｕ」を入力する（ステップＳＣ３０）。
【００４６】
次に、上記同様の適宜の操作により、操作者は、文字列の入力対象として第２ブロックＡ２を指定し（ステップＳＣ４０）、その後、当該第２ブロックＡ２に文字列Ｒａ２の上記テキスト「ｆｏｒ  ｙｏｕｒ  ｐｕｒｃｈａｓｅ」を入力する（ステップＳＣ５０）。
【００４７】
次に、上記同様の適宜の操作により、操作者は、文字列の入力対象として第３ブロックＡ３を指定し（ステップＳＣ６０）、その後、当該第３ブロックＡ３に文字列Ｒａ３の上記テキスト「ＵＳＥＤ  ＢＹ」を入力する（ステップＳＣ７０）。
【００４８】
次に、上記同様の適宜の操作により、操作者は、文字列の入力対象として第４ブロックＡ４を指定し（ステップＳＣ８０）、その後、当該第４ブロックＡ４に文字列Ｒａ４の上記テキスト「１２／２７／２００８」を入力する（ステップＳＣ９０）。
【００４９】
以上のようにして、ステップＳＣ１０〜ステップＳＣ９０の操作によって、ラベルに印字形成する文字列の入力が終了し、上記図６に示すようなラベルイメージＭｏが得られる。
【００５０】
ここで、上記図６に示すラベルイメージＭｏの例では、画像Ｓを跨ぎつつ１つの文字列「Ｔｈａｎｋ  ｙｏｕ  ｆｏｒ  ｙｏｕｒ  ｐｕｒｃｈａｓｅ」や１つの文字列「ＵＳＥＤ  ＢＹ  １２／２７／２００８」を表示するために、「Ｔｈａｎｋ  ｙｏｕ」「ｆｏｒ  ｙｏｕｒ  ｐｕｒｃｈａｓｅ」の２つの文字列に分割し、かつ「ＵＳＥＤ  ＢＹ」「１２／２７／２００８」の２つの文字列に分割する必要がある。そして、上記の比較例の手法では、この文字列の分割を行うために、上述したように、ラベル外形線Ｑ内に、第１〜第４ブロックＡ１〜Ａ４を作成した後（ステップＳＣ１０）、第１ブロックＡ１、第２ブロックＡ２、第３ブロックＡ３、及び第４ブロックＡ１〜Ａ４をその都度１つ１つ指定して（ステップＳＣ２０、ステップＳＣ４０、ステップＳＣ６０、ステップＳＣ８０）、各ブロックＡ１〜Ａ４内に文字列をそれぞれ入力する必要がある（ステップＳＣ３０、ステップＳＣ５０、ステップＳＣ７０、ステップＳＣ９０）。この結果、操作者の入力作業が極めて煩雑となり、操作労力負担が大きくなる。
【００５１】
＜第１実施形態の特徴＞
上記操作者の操作労力負担を低減するために、本実施形態においては、タッチパネル部１３に表示された文字列に対する操作者の接触操作により、上記のような文字列の分割が可能となっている。以下、その詳細を、図８〜図１３を用いて順を追って説明する。
【００５２】
＜文字列の分割操作＞
本実施形態における文字列の分割操作の流れを、図８及び図９により説明する。なお、以下の説明は、上記の図６に示した例に沿い、例えば上記編集画面Ｐに上記ラベル外形線Ｑと上記画像Ｓとが表示された状態（但し図示省略）において、「Ｔｈａｎｋ  ｙｏｕ  ｆｏｒ  ｙｏｕｒ  ｐｕｒｃｈａｓｅ」の１つの文字列を「Ｔｈａｎｋ  ｙｏｕ」「ｆｏｒ  ｙｏｕｒ  ｐｕｒｃｈａｓｅ」の２つの文字列へ分割する場合を例にとって説明する。なお、以下では説明を省略するが、１つの文字列「ＵＳＥＤ  ＢＹ  １２／２７／２００８」を２つの文字列「ＵＳＥＤ  ＢＹ」「１２／２７／２００８」に分割する場合も同様である。
【００５３】
まず、図８（ａ）に示すように、操作者は、適宜の操作によりタッチパネル部１３（図示の例では例えば操作端末１０は横置きされた状態である）に表示された上記編集画面Ｐ上で、１つの文字列Ｒのテキスト「Ｔｈａｎｋ  ｙｏｕ  ｆｏｒ  ｙｏｕｒ  ｐｕｒｃｈａｓｅ」を一気に全文入力する。これにより、当該文字列Ｒを含むラベルイメージＭ（印刷物イメージに相当）が、タッチパネル部１３に表示される。なお、このテキスト入力の前に、適宜の操作により前述と同様に１つのブロックを生成してもよい。あるいは、編集画面Ｐに対応した別のテキスト入力画面において（ブロックを生成することなく）テキスト入力を行ってもよい。
【００５４】
次に、図８（ｂ）に示すように、操作者は、上記のように生成した「Ｔｈａｎｋ  ｙｏｕ  ｆｏｒ  ｙｏｕｒ  ｐｕｒｃｈａｓｅ」の１つの文字列Ｒを含む文字列領域Ｂの途中（この例では「Ｔｈａｎｋ  ｙｏｕ」と「ｆｏｒ  ｙｏｕｒ  ｐｕｒｃｈａｓｅ」との間）をテープ幅方向に上側から下側（テープ幅方向一方側に相当）へ切るように、例えば手の指先４０（ペン等の操作具でもよい）をタッチパネル部１３に接触して縦スライド操作（分割指示操作に相当）を行う。
【００５５】
上記の後、操作者が指先４０をタッチパネル部１３から離すと、図８（ｃ）に示すように、文字列Ｒ中の「Ｔｈａｎｋ  ｙｏｕ」と「ｆｏｒ  ｙｏｕｒ  ｐｕｒｃｈａｓｅ」との間に分割線４１（分断部位イメージに相当）が表示される。またこれとともに、タッチパネル部１３に表示された文字列Ｒのイメージとは別に、分断部位近傍の拡大イメージ４２がタッチパネル部１３の適宜の箇所（この例ではタッチパネル部１３の右上部）に、併せてプレビュー表示される。
【００５６】
この分断部位近傍の拡大イメージ４２は、もとのラベルイメージから拡大して形成されている。この拡大イメージ４２では、文字列Ｒの分割線４１で示される分断部位（分割部）を、それ以外の部分（この例では、文字列Ｒの分割線４１の左右に分割される「Ｔｈａｎｋ  ｙｏｕ」の文字列Ｒ１と「ｆｏｒ  ｙｏｕｒ  ｐｕｒｃｈａｓｅ」の文字列Ｒ２）と識別するために、当該文字列Ｒ１及び文字列Ｒ２をそれぞれ含む文字列領域Ｂ１及び文字列領域Ｂ２が、それぞれ破線枠４３（識別表示に相当）で表示される。なお、破線枠４３の表示に代えて、対応する各文字列領域Ｂ１，Ｂ２を別の態様（例えば網かけ等）により表示してもよい。
【００５７】
これにより、操作者は、「Ｔｈａｎｋ  ｙｏｕ  ｆｏｒ  ｙｏｕｒ  ｐｕｒｃｈａｓｅ」の文字列Ｒを含む文字列領域Ｂを、「Ｔｈａｎｋ  ｙｏｕ」の文字列Ｒ１を含む文字列領域Ｂ１（第１文字列領域に相当）と「ｆｏｒ  ｙｏｕｒ  ｐｕｒｃｈａｓｅ」の文字列Ｒ２を含む文字列領域Ｂ２（第２文字列領域に相当）とに分割する（図９参照）に際し、分割が確定する（後述）前に所望の分割できたか否かを容易に確認することができる。
【００５８】
その後、図９に示すように、操作者が、タッチパネル部１３に指先４０を再度接触して、分割された一方の文字列領域（この例では文字列領域Ｂ２）を押しながら適宜の方向（この例では図示右側）へスライド（ドラッグ）する（分割確定操作に相当）。これにより、タッチパネル部１３に表示されていた上記分割線４１及び上記拡大イメージ４２が消失するとともに、押された文字列領域Ｂ２が右側へ所定距離移動する。これにより、元の文字列領域Ｂ（上記文字列Ｒを備える）から、文字列領域Ｂ１（上記文字列Ｒ１を備える）及び文字列領域Ｂ２（上記文字列Ｒ２を備える）への分割が確定する。この結果、上記２つの文字列領域Ｂ１，Ｂ２を含む新たなラベルイメージＭ′（新たな印刷物イメージに相当）が生成され、分割操作が終了する。
【００５９】
＜分断部位の特定＞
ここで、例えば上記図８（ｃ）のように指先４０の縦スライド操作に対応して分割線４１を表示するときに、上記分断部位を特定する手法について、図１０を用いて説明する。この特定時には、基本的に、縦スライドした指先４０によるタッチパネル部１３のタッチ範囲（分割線４１まわりの非文字空白領域を少なくとも含む所定領域）において、文字列領域Ｂ内の文字列Ｒ中の文字等の配置態様を分析が行われ、これによって当該分断部位の特定と分割線４１の位置推測とが行われる。具体的には、例えば以下の３つの場合に分けて特定される。
【００６０】
＜タッチ範囲にスペースが含まれる場合＞
すなわち、図１０（ａ）に示すように、縦スライドした指先４０のタッチ範囲に、文字列中のスペース（空白）が含まれる場合である。この例では、文字列領域Ｂ内の「・・・ｙｏｕ  ｆｏｒ  ｙｏｕｒ・・・」の文字列Ｒ中の「ｙｏｕ」と「ｆｏｒ」との間のスペースが、上記タッチ範囲に含まれている。このような場合には、タッチ範囲内の当該スペース（又はそのスペース直後でもよい）が分断部位（言い替えれば分割線４１を形成すべき位置）として推定され、特定される。この結果、拡大図に示すように、文字列領域Ｂ内の文字列Ｒを、「・・・ｙｏｕ」の文字列Ｒ１と「ｆｏｒ  ｙｏｕｒ・・・」の文字列Ｒ２とに分割する。
【００６１】
＜タッチ範囲に区切り記号が含まれる場合＞
すなわち、図１０（ｂ）に示すように、縦スライドした指先４０のタッチ範囲に、文字列中の所定の区切り記号、すなわち例えば、「。」（句点）、「、」（読点）、「．」（ピリオド）、「，」（カンマ）、「？」（クエスチョンマーク）、「；」（セミコロン）、「：」（コロン）、等が含まれる場合である。この例では、「・・・Ｓａｌｅ：６０％  Ｃ・・・」の文字列Ｒ中に、「：」（コロン）の区切り記号が含まれている。このような場合には、タッチ範囲内の当該区切り記号の直後が分断部位（言い替えれば分割線４１を形成すべき位置）として推定され、特定される。この結果、拡大図に示すように、文字列領域Ｂ内の文字列Ｒを、「・・・Ｓａｌｅ」の文字列Ｒ１と「５０％・・・」の文字列Ｒ２とに分割する。
【００６２】
＜小文字の後に大文字がある場合＞
すなわち、図１０（ｃ）に示すように、縦スライドした指先４０によるタッチ範囲に、文字列中において小文字の後に大文字が配置されている箇所が含まれる場合である。この例では、「・・・ｉｎｔｅｒＳａｌｅ」の文字列中において、小文字「ｒ」の後に連続して大文字「Ｓ」が配置されている。このような場合には、タッチ範囲内の当該小文字の直後が分断部位（言い替えれば分割線４１を形成すべき位置）として推定され、特定される。この結果、拡大図に示すように、文字列領域Ｂ内の文字列Ｒを、「・・・ｉｎｔｅｒ」の文字列Ｒ１と「Ｓａｌｅ」の文字列Ｒ２とに分割する。
【００６３】
＜その他の場合＞
上記した、タッチ範囲にスペースが含まれる場合、タッチ範囲に区切り記号が含まれる場合、小文字の後に大文字がある場合、のいずれにも該当しない場合には、文字列領域Ｂ内の文字列Ｒのうち、当該文字列のテープ長さ方向中央に最も近い、隣接２文字どうしの間隙が、分断部位（言い替えれば分割線４１を形成すべき位置）として推定され、特定される。そして、当該分断部位を境に、文字列Ｒを備えた文字列領域Ｂを、文字列Ｒ１を備えた文字列領域Ｂ１と、文字列Ｒ２を備えた文字列領域Ｂ２とに分割する。
【００６４】
上記のように文字列Ｒの内容を分析して分断部位を特定することにより、例えば上記タッチ範囲に複数の文字等が含まれていた場合であっても、適切な分断部位を確実に特定し、当該部位において第１文字列領域Ｂ１及び第２文字列領域Ｂ２への分割を確実に実行することができる。
【００６５】
＜分割位置の変更＞
また、本実施形態では、上述のようにして一旦設定した文字列領域の分割位置を変更することもできる。例えば、上記図８（ｃ）の状態（文字列領域Ｂ中に分割線４１が表示されかつ分断部位の拡大イメージ４２がプレビュー表示された状態）において、操作者が、図１１（ａ）に示すように、指先４０を再度タッチパネル部１３に接触させる。そして、操作者が、分割線４１を押しながら指先４０をテープ長手方向に沿った一方側（この例では図中の右側）へ所望量だけ移動する（分割位置移動操作に相当）。
【００６６】
すると、図１１（ｂ）に示すように、分割線４１の位置が変更された別のラベルイメージＭ″（別の印刷物イメージに相当）が表示される。すなわち、この例では、ラベルイメージＭ″では、「Ｔｈａｎｋ  ｙｏｕ  ｆｏｒ  ｙｏｕｒ  ｐｕｒｃｈａｓｅ」の文字列Ｒ中の「Ｔｈａｎｋ  ｙｏｕ  ｆｏｒ」と「ｙｏｕｒ  ｐｕｒｃｈａｓｅ」との間に、分割線４１の位置が変更されている。これに伴い、分断部位の拡大イメージ４２においても、上記文字列領域Ｂ１，Ｂ２にそれぞれ対応していた破線枠４３が、分割線４１により分割される、「Ｔｈａｎｋ  ｙｏｕ  ｆｏｒ」の文字列Ｒ１′を備えた文字列領域Ｂ１′と「ｙｏｕｒ  ｐｕｒｃｈａｓｅ」の文字列Ｒ２′を備えた文字列領域Ｂ２′とをそれぞれ囲むように、変更されている。
【００６７】
＜分割中止＞
また、本実施形態では、上述のようにして実行する文字列領域の分割を、その実行途中で中止することもできる。例えば、上記図８（ｃ）の状態（文字列領域Ｂ中に分割線４１が表示されかつ分断部位の拡大イメージ４２がプレビュー表示された状態）において、操作者が、図１２（ａ）に示すように、指先４０を再度タッチパネル部１３に接触させる。そして、操作者が、分割線４１を逆戻りするように、指先４０をテープ幅方向に下側（テープ幅方向に沿った一方側に相当）から上側（テープ幅方向に沿った他方側に相当）に向けて縦スライド操作（分割取り消し操作に相当）を行う。
【００６８】
すると、図１２（ｂ）に示すように、タッチパネル部１３に表示されていた分割線４１が消失する。また、これまで表示されていた拡大イメージ４２も消失する。これにより、これまで行ってきた文字列領域Ｂ（文字列Ｒ）の分割操作が取り消され、前述の図８（ａ）と同様の状態に戻る。
【００６９】
＜制御手順＞
上述したラベルイメージ編集手法を実現するために、操作端末１０の制御回路１４の上記ＣＰＵが実行する操作入力処理方法の制御手順を、図１３により説明する。図１３の処理は、例えば操作者が操作端末１０の電源をＯＮすると開始する。
【００７０】
図１３において、まず、ステップＳ１０で、ＣＰＵは、操作ボタン１２等を介した操作者の文字や記号等の入力による、ラベルに印字形成する文字列等の編集操作やその他の操作を受け付ける。なお、上記通信回線を介して、他の端末や汎用コンピュータから上記文字列等の編集操作が行われる場合も、このステップＳ１０で、上記他の端末等からの編集操作等を受け付ける。このステップＳ１０が、各請求項記載の編集受付手順に相当する。
【００７１】
その後、ステップＳ１５で、ＣＰＵは、上記操作ボタン１２等を介し（あるいは上記他の端末等から）、タッチパネル部１３に対するラベルイメージ表示の指示があったか否かを判定する。ラベルイメージ表示の指示がなければステップＳ１５の判定が満たされず（Ｓ１５：ＮＯ）、ステップＳ１０に戻って同様の手順を繰り返す。ラベルイメージ表示の指示があればステップＳ１５の判定が満たされ（Ｓ１５：ＹＥＳ）、ステップＳ２０へ移行する。
【００７２】
ステップＳ２０では、ＣＰＵは、タッチパネル部１３に制御信号を出力し、上記ステップＳ１０で受け付けた編集後のラベルイメージをタッチパネル部１３に表示させる（前述の図８（ａ）等参照）。このとき、上記表示された編集後のラベルイメージは、例えば制御回路１４のメモリ１５に一時的に記憶される。このステップＳ１０が、各請求項記載の第１イメージ表示手順に相当する。ステップＳ２０が終了すると、ステップＳ２５に移行する。
【００７３】
ステップＳ２５では、ＣＰＵは、操作検出部１７での検出結果に基づき、操作者によるタッチパネル部１３の操作が検出開始されたか否かを判定する。操作者が例えば指先４０をタッチパネル部１３に接触するまでは、ステップＳ２５の判定が満たされず（Ｓ２５：ＮＯ）、判定が満たされるまでループ待機する。操作者が例えば指先４０をタッチパネル部１３に接触するとステップＳ２５の判定が満たされ（Ｓ２５：ＹＥＳ）、ステップＳ３０に移る。なお、このステップＳ２５の判定が満たされた以降は、操作検出部１７からの検出信号に基づき、操作者の指先４０によるタッチパネル部１３の操作がＣＰＵにより継続的に検出されている。
【００７４】
ステップＳ３０では、ＣＰＵは、上記ステップＳ２５以降の検出結果に基づき、操作者の指先４０による、ラベルイメージ中の１つの文字列領域Ｂ中における前述の縦スライド操作（前述の図８（ｂ）等参照）が検出されたか否かを判定する。操作者が指先４０による文字列Ｒ中の縦スライド操作を行わなければステップＳ３０の判定が満たされず（Ｓ３０：ＮＯ）、判定が満たされるまでループ待機する。操作者が指先４０による文字列Ｒ中の縦スライド操作を行えばステップＳ３０の判定が満たされ（Ｓ３０：ＹＥＳ）、ステップＳ３５に移る。なお、このステップＳ３０が、各請求項記載の指示判定手順に相当する。
【００７５】
ステップＳ３５では、ＣＰＵは、上記ステップＳ２５以降の検出結果に基づき、指先４０の縦スライドによるタッチパネル部１３のタッチ範囲における文字列Ｒ中の文字等の配置態様を分析することによって、分断部位（言い替えれば分割線４１を形成すべき位置）の特定を行う（上記図１０（ａ）〜図１０（ｃ）等参照）。このステップＳ３５が、各請求項記載の分断部位特定手順に相当する。ステップＳ３５が終了すると、ステップＳ４０に移行する。
【００７６】
ステップＳ４０では、ＣＰＵは、上記ステップＳ２５以降の検出結果に基づき、タッチパネル部１３から指先４０が離れたか否かを判定する。タッチパネル部１３から指先４０が離れていなければステップＳ４０の判定が満たされず（Ｓ４０：ＮＯ）、判定が満たされるまでループ待機する。タッチパネル部１３から指先４０が離れていればステップＳ４０の判定が満たされ（Ｓ４０：ＹＥＳ）、ステップＳ４５に移行する。
【００７７】
ステップＳ４５では、ＣＰＵは、タッチパネル部１３に制御信号を出力し、タッチパネル部１３に上記ステップＳ２０で表示された文字列Ｒ中の、上記ステップＳ３５で推測された位置に、分割線４１を表示させる（上記図８（ｃ）参照）。ステップＳ４５が終了すると、ステップＳ５０に移行する。
【００７８】
ステップＳ５０では、ＣＰＵは、タッチパネル部１３に制御信号を出力し、分断部位近傍の拡大イメージ４２を、タッチパネル部１３に表示された文字列Ｒ（文字列領域Ｂ）のイメージとは別に、併せてプレビュー表示させる（上記図８（ｃ）参照）。その際、ＣＰＵは、上記文字列Ｒを含む文字列領域Ｂが当該分割線４１を境に左右に分割されたことを表すように、一方の文字列Ｒ１を含む文字列領域Ｂ１の破線枠４３と、他方の文字列Ｒ２を含む文字列領域Ｒ２の破線枠４３とを、上記プレビュー表示内に含ませて表示する。ステップＳ５０が終了すると、ステップＳ５５に移行する。なお、上記ステップＳ４５及びステップＳ５０が、各請求項記載の第２イメージ表示手順に相当する。
【００７９】
ステップＳ５５では、ＣＰＵは、上記ステップＳ２５以降の検出結果に基づき、上述のようにして分割された後の文字列Ｒ１，Ｒ２の一方が、タッチパネ部１３に再度接触した指先４０によって押されたか否かを判定する。分割された左右の文字列Ｒ１，Ｒ２の一方（例えば右の文字列Ｒ２）が指先４０で押されればステップＳ５５の判定が満たされ（Ｓ５５：ＹＥＳ）、ステップＳ６０に移行する。文字列Ｒ１，Ｒ２のいずれもが指先４０で押されなければステップＳ５５の判定が満たされず（Ｓ５５：ＮＯ）、後述するステップＳ７５に移行する。
【００８０】
ステップＳ６０では、ＣＰＵは、上記ステップＳ２５以降の検出結果に基づき、指先４０で押された文字列が押されたまま左又は右へ（例えば文字列Ｒ２が指先４０で押されたまま右側へ、あるいは文字列Ｒ１が指先４０で押されたまま左側へ）スライドする操作（いわゆるドラッグ操作）が行われたか否かを判定する。文字列の上記ドラッグ操作が行われなければステップＳ６０の判定紙がされず（Ｓ６０：ＮＯ）、判定が満たされるまでループ待機する。文字列の上記ドラッグ操作が行われればステップＳ６０の判定が満たされ（Ｓ６０：ＹＥＳ）、文字列Ｒの分割操作が確定して（上記図９参照）、ステップＳ６５に移行する。なお、このステップＳ６０が、各請求項記載の確定判定手順に相当する。
【００８１】
ステップＳ６５では、ＣＰＵは、タッチパネル部１３に制御信号を出力し、上記ステップＳ５０で表示した上記別のプレビュー表示をタッチパネル部１３から消失させる（上記図９参照）。ステップＳ６５が終了すると、ステップＳ７０に移行する。
【００８２】
ステップＳ７０では、ＣＰＵは、タッチパネル部１３に制御信号を出力し、上記ステップＳ６０で上記ドラッグ操作された文字列（例えば文字列Ｒ２）を当該操作に係る方向（例えば右方向）に所定距離移動させて、表示させる（上記図９参照）。その後、このフローを終了する。なお、上記ステップＳ６５及びステップＳ７０が、各請求項記載の第３イメージ表示手順に相当する。
【００８３】
一方、ステップＳ７５では、ＣＰＵは、上記ステップＳ２５以降の検出結果に基づき、上記ステップＳ４５で表示された分割線４１に指先４０が再度接触するとともに、当該分割線４１を押しながら指先４０を左側又は右側へスライドする操作（いわゆるドラッグ操作）が行われたか否かを判定する。分割線４１を押した指先４０の左側又は右側への上記ドラッグ操作が行われればステップＳ７５の判定が満たされ（Ｓ７５：ＹＥＳ）、ステップＳ８０に移行する。分割線４１を押した指先４０の左側又は右側のいずれへものドラッグ操作が行われなければステップＳ７５の判定が満たされず（Ｓ７５：ＮＯ）、後述のステップＳ８５に移行する。なお、このステップＳ７５が、各請求項記載の移動判定手順に相当する。
【００８４】
ステップＳ８０では、ＣＰＵは、タッチパネル部１３に制御信号を出力し、タッチパネル部１３に分割線４１を上記ステップＳ７５でのドラッグ操作に対応した位置（変更された位置）に表示させる（上記図１１参照）。その後、上記ステップＳ４０に戻り、同様の手順を繰り返す。なお、このステップＳ８０が、各請求項記載の第４イメージ表示手順に相当する。
【００８５】
一方、ステップＳ８５では、ＣＰＵは、上記ステップＳ２５以降の検出結果に基づき、上記ステップＳ４５で表示された分割線４１に指先４０が再度接触するとともに、当該分割線４１に対し指先４０による逆方向へ（下方から上方へ）の縦スライド操作を検出したか否かを判定する。上記逆方向への縦スライド操作が検出されればステップＳ８５の判定が満たされ（Ｓ８５：ＹＥＳ）、ステップＳ９０に移行する。４０による分割線４１の逆方向への縦スライド操作が検出されなければステップＳ８５の判定が満たされず（Ｓ８５：ＮＯ）、上記ステップＳ４０に戻って同様の手順を繰り返す。なお、このステップＳ８５が、各請求項記載の取り消し判定手順に相当する。
【００８６】
ステップＳ９０では、ＣＰＵは、タッチパネル部１３に制御信号を出力し、上記ステップＳ４５で表示した分割線４１をタッチパネル部１３から消失させる（上記図１２（ｂ）参照）。ステップＳ９０が終了すると、ステップＳ９５に移行する。
【００８７】
ステップＳ９５では、ＣＰＵは、上記ステップＳ６５と同様、タッチパネル部１３に制御信号を出力し、上記ステップＳ５０で表示した上記別のプレビュー表示をタッチパネル部１３から消失させる（上記図１２（ｂ）参照）。その後、このフローを終了する。なお、上記ステップＳ９０及びステップＳ９５が、各請求項記載の表示中止手順に相当する。
【００８８】
＜第１実施形態の効果＞
以上説明したように、本実施形態においては、操作端末１０において操作者が上記印字ラベルに印字形成する文字列Ｒの編集操作を行うことで、ラベルイメージＭが生成されてタッチパネル部１３に表示される。このラベルイメージＭには、上記文字列Ｒを包含する１つの文字列領域Ｂがテープ長さ方向に配置されている。そして、この１つの文字列領域Ｂ（文字列Ｒを備える）を、タッチパネル部１３上での操作者の操作により、２つの文字列領域Ｂ１（文字列Ｒ１を備える）及び文字列領域Ｂ２（文字列Ｒ２を備える）に分割することができる。
【００８９】
すなわち、操作者が、タッチパネル部１３に表示された上記１つの文字列領域Ｂのうち、当該文字列領域Ｂをテープ長手方向に２個に分割することを意図する部位（上記分断部位）を、指先４０や適宜の操作具により接触しつつ、テープ幅方向に沿って一方側へと動かす。これにより、上記表示されたラベルイメージＭとは別に、上記分断部位近傍のイメージ４２が生成され、タッチパネル部１３にプレビュー表示される（図８（ｃ）参照）。この結果、実際に文字列領域Ｂの分割処理が確定するより前に、所望の分断部位で分割した場合のラベルイメージが表示され、操作者が視覚的にラベルイメージを認識することができる。
【００９０】
その際、本実施形態では、上記ラベルイメージＭとは別に表示される上記分断部位近傍の拡大イメージ４２が、もとの上記ラベルイメージＭから拡大して生成されるとともに、上記分断部位をそれ以外の部分と識別するための破線枠４３が併せて表示される。これにより、例えば文字列領域Ｂに比較的多数の文字が含まれていたりタッチパネル部１３の大きさが比較的小さかったりして、そのままでは操作者の意図する位置での文字列領域Ｂの分割が困難となるおそれがある場合であっても、操作者の意図する位置で容易かつ確実に２つの文字列領域Ｂ１，Ｂ２への分割を行うことができる。この結果、操作者の利便性を向上することができる。
【００９１】
また、本実施形態では特に、ラベルイメージＭ中において上記分断部位を表す分割線４１が生成され、タッチパネル部１３に表示される。
【００９２】
これにより、操作者が文字列領域Ｂの分割のために指先４０や操作具をテープ幅方向に動かしたとき、その操作軌跡を視覚的に明らかにすることができる。
【００９３】
また本実施形態では特に、所定の分割確定操作（上記の例では、分割線４１から指先４０を離した後に、分割された文字列領域Ｂ１，Ｂ２の一方に再度指先４０を接触しながら指先４０を移動する操作）がなされた場合に、タッチパネル部１３における分断部位近傍の拡大イメージ４２のプレビュー表示が中止される。またこれとともに、上記第１文字列領域Ｂ１及び第２文字列領域Ｂ２を含む新たなラベルイメージＭ′を生成して、タッチパネル部１３に表示する。このように、本実施形態においては、操作者は、前述した拡大イメージ４２のプレビュー表示において視覚的に確認を行った後に、分割確定操作を行うことができる。これにより、当該確認した態様となる、１つの文字列領域Ｂの第１文字列領域Ｂ１及び第２文字列領域Ｂ２への分割を確実に実行し、新しいラベルイメージＭ′として表示することができる。
【００９４】
また本実施形態では特に、タッチパネル部１３に拡大イメージ４２のプレビュー表示がなされた状態で上記分割位置移動操作（この例ではラベルイメージＭの分割線４１をテープ長さ方向に移動する操作）がなされた場合に、分割線４１を上記移動操作に対応した態様で移動した、別のラベルイメージＭ″が生成されてタッチパネル部１３に表示される。
【００９５】
これにより、操作者が設定した分断部位で分割された第１文字列領域Ｂ１及び第２文字列領域Ｂ２の内容・態様が、操作者の意図に整合しなかったとき、当該分断部位の位置を上記指先４０や操作具を用いて変更し再設定した、別のラベルイメージを表示することができる。
【００９６】
また本実施形態では特に、タッチパネル部１３にラベルイメージの分割線４１が表示された状態で分割取り消し操作（上記の例では分割線４１に沿った逆方向への縦スライド操作）がなされた場合に、分割線４１の表示を中止するとともに、拡大イメージ４２のプレビュー表示を中止する。
【００９７】
これにより、操作者が設定した分断部位で分割された第１文字列領域Ｂ１及び第２文字列領域Ｂ２の内容・態様が、操作者の意図に整合しなかったとき、当該分断部位における分割を中止することができる。
【００９８】
＜第２実施形態＞
上記第１実施形態では、分割線４１から指先４０を離した後、分割された文字列Ｒ１，Ｒ２の一方に指先４０を再度接触し一方の文字列を移動することで、分割操作が確定された。これに対し、この第２実施形態では、分割線４１から指先４０を離すのみで文字列Ｒの文字列Ｒ１，Ｒ２への分割操作が確定される。以下、そのような第２実施形態を図１４〜図１８により説明する。上記第１実施形態と同等の部分には同一の符号を付し、適宜説明を省略又は簡略化する。
【００９９】
＜文字列の分割操作＞
本実施形態における文字列の分割操作の流れを、図８（ａ）〜（ｃ）に対応する図１４（ａ）〜（ｃ）、及び、図９に対応する図１５により説明する。まず、図８（ａ）と同様、図１４（ａ）に示すように、操作者は、操作端末１０に表示された編集画面Ｐ上で、１つの文字列Ｒのテキスト「Ｔｈａｎｋ  ｙｏｕ  ｆｏｒ  ｙｏｕｒ  ｐｕｒｃｈａｓｅ」を全文入力し、タッチパネル部１３に表示させる。
【０１００】
次に、図１４（ｂ）に示すように、操作者は、上記図８（ｂ）と同様、上記のように生成した「Ｔｈａｎｋ  ｙｏｕ  ｆｏｒ  ｙｏｕｒ  ｐｕｒｃｈａｓｅ」の１つの文字列Ｒを含む文字列領域Ｂの途中（この例では、文字列Ｒ中の「Ｔｈａｎｋ  ｙｏｕ」と「ｆｏｒ  ｙｏｕｒ  ｐｕｒｃｈａｓｅ」との間）を縦スライド操作（分割指示操作に相当）する。
【０１０１】
すると、本実施形態では、指先４０をタッチパネル部１３に接触させたままの状態で、図１４（ｃ）に示すように、文字列Ｒ中の「Ｔｈａｎｋ  ｙｏｕ」と「ｆｏｒ  ｙｏｕｒ  ｐｕｒｃｈａｓｅ」との間に分割線４１（分断部位イメージに相当）が表示される。またこれとともに、図８（ｃ）と同様のプレビュー表示、すなわち、タッチパネル部１３に表示された文字列Ｒのイメージとは別に、分断部位近傍の拡大イメージ４２（上記同様の文字列領域Ｂ１及び文字列領域Ｂ２の破線枠４３を含む）がタッチパネル部１３の適宜の箇所（この例ではタッチパネル部１３の右上部）に、併せてプレビュー表示される。これにより、上記第１実施形態と同様、文字列領域Ｂを文字列領域Ｂ１と文字列領域Ｂ２とに分割するに際し、分割が確定する前に所望の分割できたか否かを容易に確認することができる。
【０１０２】
その後、図１５に示すように、操作者が、指先４０をタッチパネル部１３から離す（分割確定操作に相当）。すると、タッチパネル部１３に表示されていた上記分割線４１及び上記拡大イメージ４２が消失するとともに、分割された２つの文字列領域Ｂ１（文字列Ｒ１を備える）及び文字列領域Ｂ２（文字列Ｒ２を備える）が互いに離反方向に移動し、所定距離を空けて位置する。これにより、元の文字列領域Ｂ（上記文字列Ｒを備える）から文字列領域Ｂ１（上記文字列Ｒ１を備える）及び文字列領域Ｂ２（上記文字列Ｒ２を備える）への分割が確定する。この結果、２つの文字列領域Ｂ１，Ｂ２を含む新たなラベルイメージＭ′（新たな印刷物イメージに相当）が生成され、分割操作が終了する。
【０１０３】
＜分割位置の変更＞
また、本実施形態においても、上記第１実施形態と同様、前述のようにして一旦設定した文字列領域の分割位置を変更することもできる。例えば、上記図１４（ｃ）の状態（文字列領域Ｂ中に分割線４１が表示されかつ分断部位の拡大イメージ４２がプレビュー表示された状態）において、操作者が、図１６（ａ）に示すように、指先４０をタッチパネル部１３から離さないままで分割線４１を押しながら指先４０をテープ長手方向に沿った一方側（この例では図中の右側）へ所望量だけ移動する（分割位置移動操作に相当）。
【０１０４】
すると、図１６（ｂ）に示すように、分割線４１の位置が変更された別のラベルイメージＭ″（別の印刷物イメージに相当）が表示される。すなわち、この例では、前述の図１１（ｂ）と同様、ラベルイメージＭ″では、「Ｔｈａｎｋ  ｙｏｕ  ｆｏｒ  ｙｏｕｒ  ｐｕｒｃｈａｓｅ」の文字列Ｒ中の「Ｔｈａｎｋ  ｙｏｕ  ｆｏｒ」と「ｙｏｕｒ  ｐｕｒｃｈａｓｅ」との間に、分割線４１の位置が変更されている。それとともに、分断部位の拡大イメージ４２において、文字列領域Ｂ１，Ｂ２の破線枠４３が、分割線４１により分割される、「Ｔｈａｎｋ  ｙｏｕ  ｆｏｒ」の文字列Ｒ１′を備えた文字列領域Ｂ１′と「ｙｏｕｒ  ｐｕｒｃｈａｓｅ」の文字列Ｒ２′を備えた文字列領域Ｂ２′とをそれぞれ囲むように、変更されている。
【０１０５】
＜分割中止＞
また、本実施形態においても、上記第１実施形態と同様、上述のようにして実行する文字列領域の分割を、その実行途中で中止することもできる。例えば、上記図１４（ｃ）の状態（文字列領域Ｂ中に分割線４１が表示されかつ分断部位の拡大イメージ４２がプレビュー表示された状態）において、操作者が、図１７（ａ）に示すように、指先４０をタッチパネル部１３に接触したまま、分割線４１を逆戻りするように、指先４０をテープ幅方向に下側（テープ幅方向に沿った一方側に相当）から上側（テープ幅方向に沿った他方側に相当）に向けて縦スライド操作（分割取り消し操作に相当）を行う。
【０１０６】
すると、図１７（ｂ）に示すように、タッチパネル部１３に表示されていた分割線４１が消失する。また、これまで表示されていた拡大イメージ４２も消失する。これにより、これまで行ってきた文字列領域Ｂ（文字列Ｒ）の分割操作が取り消され、前述の図１４（ａ）と同様の状態に戻る。
【０１０７】
＜制御手順＞
上記のラベルイメージ編集手法を実現するために、操作端末１０の制御回路１４の上記ＣＰＵが実行する操作入力処理方法の制御手順を、図１８により説明する。図１８の処理は、例えば操作者が操作端末１０の電源をＯＮすると開始する。
【０１０８】
図１８のフローチャートは、図１３において、ステップＳ４０→ステップＳ４５→ステップＳ５０の順序をステップＳ４５→ステップＳ５０→ステップＳ４０に入れ替えた点と、ステップＳ７０に代えてステップＳ６７が設けられた点が異なる。他の手順は同様である。すなわち、図１８において、図１３と同様のステップＳ１０〜ステップＳ３５を経た後、ステップＳ４５に移行する。
【０１０９】
ステップＳ４５では、上記図１３と同様、ＣＰＵは、タッチパネル部１３に制御信号を出力し、タッチパネル部１３に上記ステップＳ２０で表示された文字列Ｒ中の、上記ステップＳ３５で推測された位置に、分割線４１を表示させる（上記図１４（ｃ）参照）。ステップＳ４５が終了すると、ステップＳ５０に移行する。
【０１１０】
ステップＳ５０では、上記図１３と同様、ＣＰＵは、タッチパネル部１３に制御信号を出力し、分断部位近傍の拡大イメージ４２を、タッチパネル部１３に表示された文字列Ｒ（文字列領域Ｂ）のイメージとは別に、（各文字列領域Ｂ１，Ｂ２の破線枠４３とともに）併せてプレビュー表示させる（上記図１４（ｃ）参照）。ステップＳ５０が終了すると、ステップＳ４０に移行する。なお、上記ステップＳ４５及びステップＳ５０が、各請求項記載の第２イメージ表示手順に相当する。
【０１１１】
ステップＳ４０では、上記図１３と同様、ＣＰＵは、上記ステップＳ２５以降の検出結果に基づき、タッチパネル部１３から指先４０が離れたか否かを判定する。タッチパネル部１３から指先４０が離れていなければステップＳ４０の判定が満たされず（Ｓ４０：ＮＯ）、判定が満たされるまでループ待機する。タッチパネル部１３から指先４０が離れていれば、ステップＳ４０の判定が満たされ（Ｓ４０：ＹＥＳ）、文字列Ｒの分割操作が確定して（上記図１５参照）ステップＳ６５に移行する。なお、本実施形態では、このステップＳ４０が、各請求項記載の確定判定手順に相当する。
【０１１２】
ステップＳ６５では、上記図１３と同様、ＣＰＵは、上記ステップＳ５０で表示した上記別のプレビュー表示をタッチパネル部１３から消失させる。その後新たに設けたステップＳ６７に移る。
【０１１３】
ステップＳ６７では、ＣＰＵは、タッチパネル部１３に制御信号を出力し、上記ステップＳ４５で表示された分割線４１を夾み両側に位置する文字列Ｒ１と文字列Ｒ２を、互いに離間する方向に所定距離（例えば予め固定的に定められている）移動させて、表示させる（上記図１５参照）。なお、いずれか一方の文字列を移動させることで他方の文字列と離間させるようにしてもよい。その後、このフローを終了する。なお、上記ステップＳ６５及びステップＳ６７が、各請求項記載の第３イメージ表示手順に相当する。
【０１１４】
上記以外の各手順は、図１３と同様であり、説明を省略する。
【０１１５】
以上のように、この第２実施形態では、分割指示操作がなされた後、タッチパネル部１３への接触がなくなった場合に、所定の分割確定操作があったと判定される（図１８のステップＳ４０参照）。これにより、操作者が文字列領域Ｂの分割のために指先４０や操作具をタッチパネル部１３上でテープ幅方向に動かして上記分割指示操作を行った後、そのまま当該指先４０や操作具をタッチパネル部１３から離すことにより、ワンタッチで上記分割確定操作を行うことができる。この結果、操作者にとっての操作負担を少なくし、手軽かつ簡便に文字列領域Ｂの分割処理を行うことができる。
【０１１６】
なお、以上において、図３、図４の各図中に示す矢印は信号の流れの一例を示すものであり、信号の流れ方向を限定するものではない。
【０１１７】
また、図５、図１３、図１８に示すフローチャートは本発明を上記フローに示す手順に限定するものではなく、発明の趣旨及び技術的思想を逸脱しない範囲内で手順の追加・削除又は順番の変更等をしてもよい。
【０１１８】
また、以上既に述べた以外にも、上記実施形態や各変形例による手法を適宜組み合わせて利用しても良い。
【０１１９】
その他、一々例示はしないが、本発明は、その趣旨を逸脱しない範囲内において、種々の変更が加えられて実施されるものである。
【符号の説明】
【０１２０】
１０              操作端末
１３              タッチパネル部
１４              制御回路
１７              操作検出部（検出手段）
２０              ラベル作成装置（テープ印字装置）
３３              被印字テープ
４０              指先
４１              分割線（分断部イメージ）
４２              拡大イメージ
４３              破線枠（識別標識）
Ｂ                文字列領域
Ｂ′              文字列領域
Ｂ１              文字列領域
Ｂ１′            文字列領域
Ｂ２              文字列領域
Ｂ２′            文字列領域
Ｍ                ラベルイメージ（印刷物イメージ）
Ｍ′              ラベルイメージ（新たな印刷物イメージ）
Ｍ″              ラベルイメージ（別の印刷物イメージ）
Ｒ                文字列
Ｒ′              文字列
Ｒ１              文字列
Ｒ１′            文字列
Ｒ２              文字列
Ｒ２′            文字列
【図１】
2014186455.tif 000003
【図２】
2014186455.tif 000004
【図３】
2014186455.tif 000005
【図４】
2014186455.tif 000006
【図５】
2014186455.tif 000007
【図６】
2014186455.tif 000008
【図７】
2014186455.tif 000009
【図８】
2014186455.tif 000010
【図９】
2014186455.tif 000011
【図１０】
2014186455.tif 000012
【図１１】
2014186455.tif 000013
【図１２】
2014186455.tif 000014
【図１３】
2014186455.tif 000015
【図１４】
2014186455.tif 000016
【図１５】
2014186455.tif 000017
【図１６】
2014186455.tif 000018
【図１７】
2014186455.tif 000019
【図１８】
2014186455.tif 000020